(57)【要約】【課題】  自力でシュータなどの非常脱出器具から自力で脱出できない者を安全に脱出させることができる脱出用保護具を提供すること。【解決手段】  被保護者２００が寝た状態で下方に配置される人体保持部材１１０と、前記人体保持材の下半身側に設けられ被保護者の下半身を挿入可能な開口部１２１を備え、被保護者の下半身を包み込む下半身保護部材１２０と、前記下半身保護部材の長手方向に沿って下半身保護部材の開口に到るまで略直線線状に設けられ下半身保護部材を２分するジッパー等の線ファスナ部１３０と、前記人体保持部材１１０に設けられ、被保護者を人体保持部に固定するゴムなどの弾性材から形成された固定部材１４０と、上半身覆い部１５０を備える。【選択図】        図１
2006129922.tif 000002
【特許請求の範囲】
【請求項１】
布材で構成され被保護者が寝た状態で下方に配置される人体保持部材と、前記人体保持材の下半身側に設けられ被保護者の下半身を挿入可能な開口部を備え、被保護者の下半身を包み込む下半身保護部材と、前記下半身保護部材の長手方向に沿って下半身保護部材の開口に到るまで略直線線状に設けられ下半身保護部材を２分する線ファスナ部と、前記人体保持部に設けられ、被保護者を人体保持部に固定する固定部材とを備えたことを特徴とする脱出用保護具
【請求項２】
人体保持部材の上半身側には、被保護者の頭部、上半身を覆い被せることができる上半身覆い部を備えて構成されてたことを特徴とする請求項１の脱出用保護具。
【請求項３】
人体保持部、下半身保護部材及び上半身覆い部は帆布で形成されていることを特徴とする請求項１または２の脱出用保護具。
【請求項４】
人体保持部材は、少なくとも下側表面に滑り抵抗が少ない合成繊維部を備えることを特徴とする請求項１ないし３のいずれかの脱出用保護具。
【請求項５】
前記人体保持部材には、下半身保護部材で被保護者の上半身を覆った状態で被保護者を人体保持部材に固定するベルト部材を備えていることを特徴とする請求項１ないし４のいずれかの脱出用保護具
【請求項６】
前記固定部材は、弾性体で構成されたことと特徴とする請求項１ないし５の脱出用保護具。
【請求項７】
周囲に把持用の環部を設けたことを特徴とする請求項１ないし５の脱出用保護具。
【発明の詳細な説明】
【技術分野】
【０００１】
本発明は、脱出用保護具に関する。
【背景技術】
【０００２】
非常時に船舶や航空機から脱出するに際して、滑り台状のシュータが用いられる。このシュータは船舶、航空機等の搭乗個所から海面、地面に脱出する斜面を備える。
【０００３】
避難者はシュータには移動し、自重でシュータの斜面に沿って滑り降り、シュータ下端まで脱出する。
【発明の開示】
【発明が解決しようとする課題】
【０００４】
しかしながら、避難者が病人、老齢者、障害者である場合には、自力でシュータまで移動することができない場合がある。また、シュータまで移動したとしても、待避者が滑り降りる際に自力で姿勢を維持できない場合や、意識がない状態の場合には、シュータを安全に降下できない。
【０００５】
そこで本発明は、自力でシュータなどの非常脱出器具から自力で脱出できない者を安全に脱出させることができる脱出用保護具を提供することを目的とする。
【課題を解決するための手段】
【０００６】
請求項１の発明は、布材で構成され被保護者が寝た状態で下方に配置される人体保持部材と、前記人体保持材の下半身側に設けられ被保護者の下半身を挿入可能な開口部を備え、被保護者の下半身を包み込む下半身保護部材と、前記下半身保護部材の長手方向に沿って下半身保護部材の開口に到るまで略直線線状に設けられ下半身保護部材を２分する線ファスナ部と、前記人体保持部に設けられ、被保護者を人体保持部に固定する固定部材とを備えたことを特徴とする脱出用保護具である。
【０００７】
請求項２の発明は、請求項１の脱出用保護具において、人体保持部材の上半身側には、被保護者の頭部、上半身を覆い被せることができる上半身覆い部を備えて構成されたことを特徴とする。
【０００８】
請求項３の発明は、請求項１または２の脱出用保護具において、人体保持部、下半身保護部材及び上半身覆い部は帆布で形成されていることを特徴とする。
【０００９】
請求項４の発明は、請求項１ないし３のいずれかの脱出用保護具において、人体保持部材は、少なくとも下側表面に滑り抵抗が少ない合成繊維部を備えることを特徴とする。
【００１０】
請求項５の発明は、請求項１ないし４のいずれかの脱出用保護具において、前記人体保持部材には、人体保持部材の被保護者の上半身を覆った状態で係着可能なベルト部材を備えていることを特徴とする。
【００１１】
請求項６の発明は、請求項１ないし４のいずれか脱出用保護具において、前記固定部材は、弾性体で構成されたことと特徴とする。
【００１２】
請求項７の発明は、請求項１ないし５の出用保護具において、周囲に把持用の環部を設けたことを特徴とする
【００１３】
本発明によれば、人体保持部材に被保護者を寝かせ、ファスナ部で分割した下半身保護部材内に下半身を入れてファスナ部を閉め、固定部材で被保護者を人体保持部に固定するので自力でシュータなどの非常脱出器具から自力で脱出できない被保護者を脱出用保護具に収納して安全に脱出させることができる。
【発明を実施するための最良の形態】
【００１４】
以下本発明を実施するための最良の形態を、図面に基づいて説明する。図１は本発明の実施の形態に係る脱出用保護具の構成を示す平面図、図２は図１に示す脱出用保護具の構成を示す平面図、図３は図１に示す脱出用保護具の使用状態を示す図であり、（ａ）は正面図、（ｂ）は一部省略側面図、図４は図１に示す脱出用保護具の他の使用状態を示す図であり、（ａ）は正面図、（ｂ）は一部省略側面図である。
【００１５】
本発明に係る脱出用保護具１００は帆布などの布で構成され、図１ないし図４に示すように、被保護者２００が寝た状態で下方に配置される人体保持部材１１０と、前記人体保持材の下半身側に設けられ被保護者の下半身を挿入可能な開口部１２１を備え、被保護者の下半身を包み込む下半身保護部材１２０と、前記下半身保護部材の長手方向に沿って下半身保護部材の開口に到るまで略直線線状に設けられ下半身保護部材を２分するジッパー等の線ファスナ部１３０と、前記人体保持部材１１０に設けられ、被保護者を人体保持部に固定するゴムなどの弾性材から形成された固定部材１４０とを備える。固定部材１４０は面ファスナ１４１でその固定寸法を調整することができる。この固定部材１４０は被保護者２００の腋下部を脱出用保護具１００に固定するものであり、シュータ移動時やシュータからの脱出時に被保護者２００の脚が被保護者２００の自重で折れ曲がるのを防止することができる。被保護者２００の脚が折れ曲がるとシュータ内で被保護者２００が引っ掛かり脱出が困難になる。本固定部材１４０により、係る自体を防止している。
【００１６】
本例では脱出用保護具１００の人体保持部材１１０の上半身側には、被保護者２００の頭部２１０、上半身２２０を覆い被せることができる上半身覆い部１５０を備えて構成されている。上半身覆い部１５０は、人体保持部材１１０と上半身覆い部１５０との周囲に設けられたドットファスナ１５１で取付取り外しが可能である。また、図３に示すように、被保護者２００の頭部２１０の下部に配置する事や、図４に示すように被保護者２００の頭部２１０を覆うように配置することができる。
【００１７】
また、本例の人体保持部材１１０は、少なくともシュータ等と接触する下側表面１１１に滑り抵抗が少ない、ポリイミド繊維、フッ素樹脂繊維等の合成繊維部を貼付しておくことができる。
【００１８】
また、前記人体保持部材１１０には、下半身保護部材で被保護者の上半身を覆った状態で被保護者を人体保持部材に固定する２本のベルト部材１６１，１６２を備えており、これらのベルト部材１６１，１６２はバックル１６３，１６４で寸法調整をすることができる。本ベルト部材１６１，１６２により、保護者２００を脱出用保護具１００と一体になるよう固定するものであり、上記固定部材１４０と共にシュータ移動時やシュータからの脱出時に被保護者２００の脚が被保護者２００の自重で折れ曲がるのを防止することができる。
【００１９】
さらに、本例では脱出用保護具１００には、その周囲に把持用の環部１７１，１７２，１７３，１７４，１７５，１７６を設けている。この環部１７１，１７２，１７３，１７４，１７５，１７６は、図２に示すように、延長形成して人体保持部材１１０に渡しかけ縫合させた環状帯部材１８１、１８２、１８３の端部で形成している。
【００２０】
また、環部１７１，１７２，１７３，１７４，１７５，１７６には面ファスナを設け、不使用時に人体保持部材１１０または下半身保護部材１２０に貼り付けておくことができる。
【００２１】
なお、上記脱出用保護具が適用される脱出器具は滑り台式のもののほか、ジグザグ式、スパイラル式の脱出器具にてきようできる。また、脱出器具は船舶、航空機、建物その他どのようなものに配置されてもよい。
【図面の簡単な説明】
【００２２】
【図１】本発明の実施の形態に係る脱出用保護具の構成を示す平面図である。
【図２】図１に示す脱出用保護具の構成を示す平面図である。
【図３】図１に示す脱出用保護具の使用状態を示す図であり、（ａ）は正面図、（ｂ）は一部省略側面図である。
【図４】図１に示す脱出用保護具の他の使用状態を示す図であり、（ａ）は正面図、（ｂ）は一部省略側面図である。
【符号の説明】
【００２３】
１００  脱出用保護具
１１０  人体保持部材
１１１  下側表面
１２０  下半身保護部材
１２１  開口部
１３０  線ファスナ部
１４０  固定部材
１４１  面ファスナ
１５０  上半身覆い部
１５１  ドットファスナ
１６１，１６２  ベルト部材
１６３，１６４  バックル
１７１，１７２，１７３，１７４，１７５，１７６  環部
１８１、１８２、１８３  帯部材
２００  被保護者
２１０  頭部
２２０  上半身
【図１】
2006129922.tif 000003
【図２】
2006129922.tif 000004
【図３】
2006129922.tif 000005
【図４】
2006129922.tif 000006